(57)【要約】【課題】  簡単な操作で布団カバーを布団に係止させるようにする。【解決手段】  帯状物１９の中央部分に結合具としての押圧式ボタン１８の雌側ボタン部１８ａを備え且つ両端部に押圧式ボタン１８の雄側ボタン部１８ｂと雌側ボタン部１８ａを備えてなる保持部材１６と、帯状物２０の中央部分に、上記保持部材１６の中央部分に備えた結合具１８ａと対をなす結合具としての押圧式ボタン１８の雄側ボタン部１８ｂを備えて、該帯状物２０の両端部を結合してリング状にした保持部材１７を用いる。上記保持部材１６を布団３に取り付けてある係止用の帯４に通し、リング状にして取り付けておく。上記リング状の保持部材１７は、布団カバー１に取り付けておく。両保持部材１６と１７の中央部分の結合具１８ａと１８ｂの着脱操作のみで布団と布団カバーの結合、取り外しを行えるようにする。【選択図】図１
0003108943.tif 000002
【実用新案登録請求の範囲】
【請求項１】
布団の少なくとも四隅部に取付け保持させておくようにしてある保持部材と、布団カバ
ーの内側の少なくとも四隅部に取付け保持させておくようにしてある保持部材とからなり
、上記布団の各隅部に取り付けてある保持部材と上記布団カバーの対応する各隅部に取り
付けてある保持部材とを着脱自在に結合することにより、布団カバーを布団に留めて布団
カバーのずれ止めを行うようにしたことを特徴とする布団カバーのずれ防止装置。
【請求項２】
布団に取付け保持させておくようにしてある保持部材は、布団に着脱自在に取付け保持
させるようにした請求項１記載の布団カバーのずれ防止装置。
【請求項３】
布団に取付け保持させておくようにしてある保持部材は、布団の各隅部にあるループ状
の帯又は紐に通して保持できるようにしてある帯状物と、該帯状物に備えた結合具とから
なるものとし、又、布団カバーに取付け保持させておくようにしてある保持部材は、リン
グ状にした帯状物と、該帯状物に備えてあって、上記布団に保持される保持部材の帯状物
の結合具に着脱自在に結合できるようにしてある結合具とからなるものとした請求項１又
は２記載の布団カバーのずれ防止装置。
【請求項４】
布団に取付け保持させておくようにしてある保持部材は、所要長さを有する帯状物と、
該帯状物に備えた結合具とからなり、且つ帯状物を折り曲げてループ状にし、布団に直接
取り付けるか又は布団に設けてあるループ状の帯又は紐に取り付けるようにし、又、布団
カバーに取付け保持させておくようにしてある保持部材は、上記布団に取付け保持させて
おくようにしてある保持部材の結合具に着脱自在に結合できるように所要長さとした帯状
物と、該帯状物に備えてあって、上記布団に取付け保持させておくようにしてある結合具
に着脱自在に結合できるようにしてある結合具からなるものとした請求項１又は２記載の
布団カバーのずれ防止装置。
【請求項５】
布団に取付け保持させておくようにしてある保持部材の帯状物に備えた結合具を、押圧
式ボタンの雄側又は雌側のボタン部とし、且つ布団カバーに取付け保持させておくように
してある保持部材の帯状物に備えた結合具を、押圧式ボタンの雌側又は雄側のボタン部と
して、着脱できるようにした請求項３又は４記載の布団カバーのずれ防止装置。
【考案の詳細な説明】
【技術分野】
【０００１】
本考案は、布団を包むように被せた布団カバーがずれないようにする布団カバーのずれ
防止装置に関するものである。
【背景技術】
【０００２】
布団をカバーなしの状態で使用し続けると、布団の表面に汚れを生じたり、布が破れた
りすることがある。そのため、布団布の汚れや破れ等を防止する目的でほとんどの掛け布
団では、一側縁部に開口部を開閉可能に備えて全体を布団の大きさの袋状に縫製してなる
布団カバーが使用されている。
【０００３】
布団に布団カバーを被せて使用するときは、布団カバーの一側縁部の開口部より該布団
カバー内に布団を押し込んで、布団全体を布団カバー内に収納してから、布団の四隅部を
布団カバーの四隅部の内側に正しく位置させるようにしている。
【０００４】
しかし、単に布団に布団カバーを被せた状態では、布団を使用している途中で布団に対
して布団カバーのずれが生じ、布団が片寄る等、布団カバーの中で布団がずれ動く（ある
いは布団の外側で布団カバーがずれ動く）という事態が生じる。
【０００５】
かかる事態を未然に防止するため、従来の掛け布団では、主として四隅部の裏面側に、
細い帯状にした布を斜めに配置して両端を縫い付けてなるループ状の係止用帯や、細紐を
ループ状にしてその両端を縫い付けて形成した小さいループ状係止用紐を備え、一方、布
団カバーの四隅部の内側には、上記布団の四隅部の係止用帯やループ状係止用紐に結びつ
けるようにするために、細紐の中央部を縫い付けてなる所要長さの結び用の紐を備えた構
成とし、布団に被せた布団カバーの各隅部の結び用紐を、布団の隅部の係止用帯又はルー
プ状係止用紐に通して結ぶことにより、布団と布団カバーのずれを防止するようにしたも
のが用いられている。
【０００６】
ところが、上記布団カバーに取り付けた結び用の紐を布団の四隅部の係止用帯やループ
状係止用紐に通して結ぶようにしたものでは、布団に布団カバーを被せるときは、布団カ
バー側の細い結び用紐を布団に固定のループ状の係止用帯あるいは係止用紐に通すことが
大変であると共に面倒であり、又、通してからは両手を使って結ぶ動作が必要で、結び用
紐が細かったり、短かくなっていると、結びつけるのが容易ではなく、手の大きい人にと
っては結びにくいという問題もあった。一方、布団カバーを洗濯する等のために布団から
外すときには、四隅部の結び用紐をそれぞれ解かなければならず、又、結び用紐を解きな
がら布団カバーを引張ったりするとき、結びが十分に解けていないところでは布団側の係
止用帯あるいはループ状係止用紐に引掛って取れなくなってしまうこともあり、又、布団
カバー側の紐が布団側の係止用帯あるいはループ状の係止用紐に固結びになると解きにく
いことがあり、無理に引張ると布団カバーから紐がとれて布団カバーの一部が破れること
がある。
【０００７】
このような問題点を解消するものとして、近年では、たとえば、図１６、図１７に示す
如く、細い帯状とした布の両端側を同じ方向へ折り返して固着することによりループを形
成し、このループ形成部に留め具６と７を固定してズレ防止紐５を作り、該紐５の中央部
分を、布団カバー１に取り付けてある紐２で結びつけるか、あるいはズレ防止紐５の中央
部分を布団カバー１の内側の隅部に直接縫い付けるようにし、ズレ防止紐５の一端側を、
布団３の隅部の裏側に両端を取り付けて形成した係止用の帯４の内側に通して折り曲げて
から、留め具６と７を結合して布団カバー１を布団３に固定させるようにしたものが提案
されている（たとえば、特許文献１参照）。
【０００８】
又、図１８、図１９に示す如く、つまみ９を突出させたボタン設置部材１０と、取付け
部１１を突出させたボタン設置部材１２とを、折曲部１３で連接し、更に、上記ボタン設
置部材１０の両端部には、押圧ボタンの雄１４ａと１４ｂを、又、上記ボタン設置部材１
２の両端部には、押圧ボタンの雌１５ａと１５ｂをそれぞれ装着してなるバンド８を形成
し、該バンド８の一端の取付け部１１を、布団カバー１の内側の四隅に装着して、つまみ
９側が張り出すようにした構成とし、布団３の四隅の裏側の帯４にバンド８をつまみ９側
から通して折曲部１３で折り返し、押圧ボタンの２つの雄１４ａ，１４ｂと２つの雌１５
ａ，１５ｂをそれぞれ結合させて止着させるようにしたものが提案されている（たとえば
、特許文献２参照）。
【０００９】
更に、布団カバーの内側の四隅部に、細長い帯状とした面ファスナの一端部を縫い付け
て固定し、布団カバー内に布団を収納して、布団の四隅部を布団カバー内側の四隅部に位
置合わせをするときに、布団の四隅に設けたループ状係止用紐に上記面ファスナの自由端
側を通した後、該面ファスナを折り返して二つ折りにして接合させることにより、布団と
布団カバーのずれを防止するようにしたものも提案されている（たとえば、特許文献３参
照）。
【００１０】
【特許文献１】実用新案登録第３０７０４５７号公報
【特許文献２】特開２００４−１５４４９６号公報
【特許文献３】実用新案登録第３０１５５９５号公報
【考案の開示】
【考案が解決しようとする課題】
【００１１】
ところが、特許文献１に記載されているものは、布団３に予め取り付けられているルー
プ状の帯４に結び付ける布団カバー側の紐に代えてズレ防止紐５を用いるようにしたもの
で、布団カバー１の内側の四隅部にズレ防止紐５を、布団カバー１と一体の紐２で結びつ
けたり、布団カバー１に直接縫い付けて取り付けるようにするものである。そのため、布
団カバー１を布団の外側に被せてずれ止めをするときには、ズレ防止紐５のいずれか一方
を必ず布団３に取り付けてある係止用の帯４の内側に通す作業が不可欠であると共に、帯
４の内側に通したズレ防止紐５を折り返して留め具６と７を結合させる必要があり、狭い
ところで且つ小さいループが形成されるような小さい帯４の内側にズレ防止紐５を通す作
業は非常に面倒であると共に、細かい手先の作業となって、暗いところでは帯４の内側に
通す作業が難しいという問題がある。又、布団カバー１を布団から外すときには、ズレ防
止紐５の両端を引張って留め具６，７の結合を解除した後に、留め具６又は７の付いたズ
レ防止紐５の一端側を帯４の内側を通して抜き出すことが必要で、二重の動作が必要であ
る。しかも、ズレ防止紐５は、両端がループ状になっていることに加え、留め具６，７が
中央部分を境に対称的に位置していて、両端側のどちらを布団３側の係止用の帯４の内側
に通す場合にも、端は膨んでいて通しにくく、又、留め具６又は７が帯４に引掛り易いと
いう問題もあり、ズレ防止紐５を係止用の帯４に通す作業が非常に難しいという問題があ
る。
【００１２】
又、特許文献２に記載されたものも、布団３に予め取り付けてあるループ状の帯４に結
び付ける布団カバー１側の紐に代えて、バンド８を用いるようにしたもので、バンド８の
つまみ９を突出させている幅広のボタン設置部材１０を、布団３の四隅の裏側に取り付け
てある係止用の帯４の内側に通してから折り返してボタン設置部材１０と１２を重ね合わ
せ、しかる後に、２個所の押圧ボタンの雄１４ａ，１４ｂと雌１５ａ，１５ｂをそれぞれ
結合させて布団と布団カバーのずれ止めを行うようにしたものである。そのため、布団カ
バー１を布団３に被せてずれ止めをするときには、前記した特許文献１の場合と同様に、
バンド８を布団３側のループ状の帯４に通すことが不可欠の作業であり、小さくて狭い帯
４に、バンド８を通す作業は難しいという問題がある。しかも、つまみ９側から帯４に通
す場合に、つまみ９の幅より広幅となっているボタン設置部材１０をループ状の帯４に通
すとき、つまみ９との段差部が帯４に引掛り易くて、簡単に帯４の内側へ通すことができ
ないおそれがあると共に、ボタン設置部材１０に押圧ボタンの雄１４ａ，１４ｂがあるの
で、この押圧ボタンの雄１４ａ，１４ｂが帯４に引掛り易く、つまみ９を先に通してから
該つまみ９を強く引張ることも必要と考えられる。更に、ループ状の帯４に通し終ると、
次には２個所のボタンを止めるので、多くの手数がかかる。一方、布団カバー１を布団３
から外すときは、２個所の押圧ボタンの雄１４ａ，１４ｂと雌１５ａ，１５ｂの結合を１
つひとつ解除した後に、バンド８を帯４から引き抜く必要があり、引き抜くときにも、広
幅のボタン設置部材１０が帯４に引掛って抜き難いという問題がある。
【００１３】
このように、布団カバー１を布団３に付けたり、布団３から外したりする都度、バンド
８を帯４に無理矢理通してからボタンを結合したり、ボタンの結合を外してからバンド８
を強い力で引き抜いたりすることが必要で、多くの手数を要するという問題がある。
【００１４】
更に、特許文献３に記載されたものは、布団カバーに帯状の面ファスナを取り付けるも
のであるが、この面ファスナも布団に固定したループ状の係止紐に通してから折り返して
自己保持させるものであるため、布団カバーを布団に被せてずれ止めするときは、必ず面
ファスナを布団の係止用紐に通す作業をした後に折り曲げて面ファスナ同士で固定させる
作業をしなければならず、手数を要する問題がある。又、面ファスナは、使用中にほこり
等が付着して接合力が低下して行き、ずれ止めしていても、面ファスナの自己保持が保て
なくなるおそれがあるという問題もある。
【００１５】
このように、従来のものでは、いずれも布団カバー１にのみ結び紐に代るものを取り付
けるようにしてあるもので、布団側には全く着目されたものではない。
【００１６】
そこで、本考案者は、布団に取り付けてあるループ状の帯や紐に布団カバー側の紐を通
す煩わしさを如何にしたらなくすことができるかについて工夫、研究を重ねて、布団側に
工夫を施すことにより、１動作で布団カバーを布団に結合したり、結合を解除できること
を見い出し、本考案をなした。
【００１７】
したがって、本考案の目的とするところは、従来の布団に取り付けてある小さく細いル
ープ状の帯又は紐に布団カバーに取り付けられた紐を通して結び付けたり、ズレ防止紐や
バンドを通して止めるという煩わしい作業を一切不要にして、布団と布団カバーを１動作
で簡単に且つ迅速に結合したり、解除できるようにする布団カバーのずれ防止装置を提供
しようとするものである。
【課題を解決するための手段】
【００１８】
本考案は、上記課題を解決するために、布団の少なくとも四隅部に取付け保持させてお
くようにしてある保持部材と、布団カバーの内側の少なくとも四隅部に取付け保持させて
おくようにしてある保持部材とからなり、上記布団の各隅部に取り付けてある保持部材と
上記布団カバーの対応する各隅部に取り付けてある保持部材とを着脱自在に結合すること
により、布団カバーを布団に留めて布団カバーのずれ止めを行うようにした構成とする。
【００１９】
又、上記構成において、布団に取付け保持させておくようにしてある保持部材は、布団
に着脱自在に取付け保持させるようにしてもよい。又、布団の各隅部にあるループ状の帯
又は紐に通して保持できるようにしてある帯状物と、該帯状物に備えた結合具とからなる
ものとし、又、布団カバーに取付け保持させておくようにしてある保持部材は、リング状
にした帯状物と、該帯状物に備えてあって、上記布団に保持される保持部材の帯状物の結
合具に着脱自在に結合できるようにしてある結合具とからなる構成とし、更に、布団に取
付け保持させておくようにしてある保持部材は、所要長さを有する帯状物と、該帯状物に
備えた結合具とからなり、且つ帯状物を折り曲げてループ状にし、布団に直接取り付ける
か又は布団に設けてあるループ状の帯又は紐に取り付けるようにし、又、布団カバーに取
付け保持させておくようにしてある保持部材は、上記布団に取付け保持させておくように
してある保持部材の結合具に着脱自在に結合できるように所要長さとした帯状物と、該帯
状物に備えてあって、上記布団に取付け保持させておくようにしてある結合具に着脱自在
に結合できるようにしてある結合具からなるものとした構成とする。更に又、これらの構
成において、布団に取付け保持させておくようにしてある保持部材の帯状物に備えた結合
具を、押圧式ボタンの雄側又は雌側のボタン部とし、且つ布団カバーに取付け保持させて
おくようにしてある保持部材の帯状物に備えた結合具を、押圧式ボタンの雌側又は雄側の
ボタン部として、着脱できるようにした構成とする。
【考案の効果】
【００２０】
本考案の布団カバーのずれ防止装置によれば、次のような優れた効果を奏し得る。  
（１）布団の少なくとも四隅部に保持部材を取付け保持させておくことから、布団カバー
の内側の少なくとも四隅部に取付け保持させた保持部材との間で着脱させるだけの簡単な
１動作のみで布団と布団カバーをつなぎ合わせることができるので、従来の布団カバー側
の紐を、布団に取り付けてあるループ状の係止用の帯又は紐に通して結んだり、布団カバ
ーに取り付けたズレ防止紐やバンドを、布団に取り付けてある係止用の帯又は紐に通して
から折り返して留めるという面倒な操作を一切不要にすることができる。  
（２）上記（１）により、布団に被せた布団カバーのずれ止めのために、該布団と布団カ
バーとの結合をワンタッチで簡単に且つ素早く行うことができて、各隅部を含む全体の結
合作業を短時間に行うことができると共に、布団カバーを取り外すときも、布団の保持部
材と布団カバーの保持部材との結合を解除するだけの一動作で行うことができ、布団カバ
ーを布団から取り外す作業を簡単に且つ短時間に行うことができる。  
（３）布団に取付け保持させておくようにしてある保持部材が、帯状物をループ状に結合
できるようにして、その帯状物に結合具を備えたものとしてあるので、帯状物を、布団に
取り付けてある係止用の帯又は紐に予め通して保持させておいたり、布団に直接取り付け
ておくことができて、この保持部材の結合具に、布団カバーに取付け保持させた保持部材
の結合具をワンタッチで結合させるだけで布団カバーを布団に止着させることができる。
又、結合を解除する場合は、各保持部材の帯状物で形成されるリング内に手の指を入れる
か、又は帯状物を掴むことにより、引き離す方向へ引張る操作を簡単に行うことができて
、容易に行うことができる。  
（４）布団に保持させておく保持部材と布団カバーに保持させておく保持部材を結合する
結合具を、押圧式ボタンの雄側ボタン部と雌側ボタン部とすることにより、一対のボタン
部からなるボタンの着脱操作のみで結合、切り離しを行うことができ、煩らわしさがなく
、誰でも容易に操作することができる。
【考案を実施するための最良の形態】
【００２１】
以下、図面に基づき本考案を実施するための最良の形態を説明する。
【００２２】
図１乃至図５（イ）（ロ）は本考案の実施の一形態を示すもので、掛け布団３の少なく
とも四隅部の裏面側に斜め配置で両端部を縫着してループ状にしてある各係止用の帯４に
、リング状にして事前に取り付けておくようにしてある保持部材１６と、布団カバー１の
内側の少なくとも四隅部に、リング状にして取り付けておくようにしてある保持部材１７
とからなり、上記両保持部材１６と１７を後述する結合具を介し着脱させる操作のみで布
団カバー１を布団３に係止したり、布団カバー１を布団３から取り外すことができるよう
にする。
【００２３】
上記布団３に取り付けておくようにする保持部材１６は、図２（イ）（ロ）に示す如く
、所要の幅、たとえば、１．５ｃｍ〜２．０ｃｍ程度の幅を有し且つ所要の長さとしたリ
ボンテープ状の帯状物１９の中央部分に、結合具として、押圧式ボタン１８を構成する雌
側ボタン部１８ａと雄側ボタン部１８ｂのうちの雌側ボタン部１８ａを表側に向けて装着
すると共に、一端部に、雌側ボタン部１８ａを表側に向けて、又、他端部に、雄側ボタン
部１８ｂを裏側に向けてそれぞれ装着した構成としてある。上記両端部の雌側ボタン部１
８ａと雄側ボタン部１８ｂの間隔は、帯状物１９を折り曲げて該雌側ボタン部１８ａと雄
側ボタン部１８ｂを結合したときに手の指が少なくとも１本入り得る大きさのリングが形
成されるような寸法としてある。又、帯状物１９の両端は、小さく折り曲げて縫合するこ
とにより端がほぐれたりすることがないようにすると共に、上記両端部の押圧式ボタン１
８の雌側ボタン部１８ａ及び雄側ボタン部１８ｂから端までは、指で掴むことができるよ
うな十分な長さとしてある。
【００２４】
又、上記布団カバー１に取り付けておくようにする保持部材１７は、図３（イ）（ロ）
（ハ）に示す如く、上記保持部材１６と同様な幅を有する帯状物２０の中央部分に、上記
保持部材１６の中央部分の結合具としての押圧式ボタン１８の雌側ボタン部１８ａに対応
する雄側ボタン部１８ｂを結合具として表面側に向けて装着し、更に、上記帯状物２０を
折り曲げて端部同士を縫い合わせて、手の指が少なくとも１本入り得る大きさのリング状
に成形した構成としてある。
【００２５】
上記保持部材１６と１７の各帯状物１９，２０は、押圧式ボタン１８の雌側ボタン部１
８ａや雄側ボタン部１８ｂを堅固に取り付けることができると共に、該雌側ボタン部１８
ａと雄側ボタン部１８ｂの結合状態を、帯状物１９，２０を引張って解除するときに、各
ボタン部１８ａ，１８ｂの取付位置が破れたりすることがないような強度を有するものと
する。
【００２６】
上記構成としてある本考案の布団カバーのすべり防止装置を用いて布団カバーのすべり
止めを行うときは、前以って布団３の各ループ状の帯４に保持部材１６を取り付けておく
ようにすると共に、布団カバー１の内側の四隅部に保持部材１７を取り付けておくように
する。
【００２７】
上記布団３の各隅部におけるループ状の帯４に保持部材１６を取り付けるときは、図２
（イ）（ロ）のように伸ばした状態の保持部材１６の一端側を、図４（イ）（ロ）に示す
如く布団３のループ状の帯４の内側に通してから両端部の押圧式ボタンの雌側ボタン部１
８ａと雄側ボタン部１８ｂを結合してリング状にしておき、ループ状の帯４から外れない
ようにして布団３に一体に保持されているようにする。
【００２８】
一方、保持部材１７を布団カバー１の内側の四隅部に取り付けておくときに、布団カバ
ー１が既存のもので内側の四隅部に係止用の紐２が取り付けてあるものでは、リング状に
してある保持部材１７の雄側ボタン部１８ｂとは反対側の部分を上記紐２で結び付けて布
団カバー１に一体的に保持させておき、紐２を解かない限り布団カバー１から取り外すこ
とができないようにしておくようにする。
【００２９】
上記のようにして、事前に使用中の布団３の四隅部の係止用の帯４にそれぞれ保持部材
１６をリング状にして取り付け、又、この布団３に使用する布団カバー１の内側の四隅部
にリング状の保持部材１７をそれぞれ取り付けておけば、上記布団カバー１の内側に上記
布団３を収納して、該布団３の四隅部を布団カバー１の四隅部に位置合わせをするときに
、布団カバー１側の各保持部材１７の押圧式ボタン１８の雄側ボタン部１８ｂと、布団３
側の各保持部材１６の押圧式ボタン１８の雌側ボタン部１８ａとを押圧して結合するとい
う１動作で布団カバー１を布団３に保持させることができる。
【００３０】
これにより、簡単に且つ短時間に布団カバー１のずれ防止を行うことができると共に、
各隅部で保持部材１６と１７とを１つの押圧式ボタンで結合した後は、各保持部材１６と
１７は布団カバー１や布団３から離れることがないので、布団カバー１のずれ防止を確実
に行うことができる。又、上記において、保持部材１７の雄側ボタン部１８ｂと保持部材
１６の雌側ボタン部１８ａの結合は、押圧する操作だけで可能である。この際、リング状
になっている保持部材１６と１７の内側には手の指を入れることができるので、押圧式ボ
タンの押圧操作を片手で簡単に行うことが可能であり、布団カバー１の内側の狭いところ
でも簡単に且つ確実に布団カバー１を布団３に係止できて、布団カバー１の布団３への被
着を短時間に行わせることが可能となる。
【００３１】
一方、布団カバー１を布団３から取り外すときは、布団カバー１の一側部を開口させた
後、各隅部で結合されている布団カバー１側の保持部材１７と布団３側の保持部材１６と
の結合を解除することにより、簡単に布団カバー１を布団３から取り外すことができる。
上記保持部材１６と１７との結合の解除は、該保持部材１６と１７を互に反対方向へ引張
って押圧式ボタン１８の雌側ボタン部１８ａと雄側ボタン部１８ｂを離脱させるという１
動作で行うことができる。この際、保持部材１６と１７は、いずれも内側に手の指が入る
大きさのリング状になっているので、保持部材１６と１７に指を入れて反対方向に引張る
ことができて、小さい力でより簡単に結合を解除することができる。又、各保持部材１６
，１７の帯状物１９，２０を掴むことによっても容易に結合を解除させることができる。
【００３２】
布団３から取り外した布団カバー１は、内側の四隅部にそれぞれ保持部材１７が一体に
取り付けられたままにしておくようにし、洗濯等を終えると、そのまま使用できるように
する。
【００３３】
現在使用している布団に代えて別の布団を使用するときは、使用を中止する布団３の四
隅部の係止用帯４に保持されている保持部材１６を取り外して、新しく使用する布団３の
四隅部の係止用帯４に通し、図４（イ）（ロ）のように取り付けておくようにする。保持
部材１６を古い布団３の係止用の帯４から取り外すときは、該保持部材１６の両端部を手
で掴んで反対方向へ引張ることにより、押圧式ボタン１８の雌側ボタン部１８ａと雄側ボ
タン部１８ｂの結合を解除して帯状に伸ばした後、係止用の帯４の内側より引き抜くこと
により容易に取り外すことができる。新しい布団３の係止用の帯４に取り付けるときは、
前記した図２（イ）（ロ）のように伸びた状態の保持部材１６を一端側から帯４の内側に
通してから両端部の雌側ボタン部１８ａと雄側ボタン部１８ｂを結合させることにより容
易に取り付けることができる。以後は前記したと同様に、保持部材１７が取り付けてある
布団カバー１に新しい布団３を収納して、布団カバー１側の保持部材１７と布団３側の保
持部材１６を、図１に示すように結合させることにより直ちに布団カバー１の被着とすべ
り防止を行うことができることになる。
【００３４】
次に、図６（イ）（ロ）（ハ）及び図７（イ）（ロ）は本考案の実施の他の形態として
、布団３にループ状に設けられている係止用の帯４に取り付けておくようにする保持部材
１６の他の例を示すものである。
【００３５】
すなわち、図１、図２（イ）（ロ）、図４（イ）（ロ）に示してある保持部材１６に代
えて、図６（イ）に示す如く、結合具として押圧式ボタン１８を構成する雌側ボタン部１
８ａと雄側ボタン部１８ｂのうちの雌側ボタン部１８ａを一端部に装着した所要長さの帯
状物１９を、一端側に対して他端側を右方向又は左方向に１回転させるよう捩ってから２
つ折り状に折り曲げ、上記雌側ボタン部１８ａが外側に向くようにして該帯状物１９の両
端を重ね合わせて縫合する等で固定し、図６（ロ）（ハ）のようにループ状をなす保持部
材１６ａとしたものである。
【００３６】
上記保持部材１６ａは、帯状物１９を１回捩ってからループ状に形成してあるため、雌
側ボタン部１８ａが装着してある側とは反対側となる折り曲げ部では、該雌側ボタン部１
８ａがある面側へ尖るように折り曲げられた状態になっている。そのため、布団３の裏側
にあるループ状の帯４に取り付けるときは、雌側ボタン部１８ａ側の端部と折り曲げ部側
の端部との間で布団３のループ状の係止用の帯４を挟み、折り曲げ部のループに雌側ボタ
ン部１８ａ側を通して引っ張るようにして帯４に結びつける、いわゆるひばり結びにより
、布団３の係止用の帯４に取り付けるようにする。
【００３７】
図７は、その一例を示すもので、布団３の裏側を上にした状態で説明すると、図７（イ
）の如く、雌側ボタン部１８ａが外側へ向くようにし、且つ該雌側ボタン部１８ａのある
端部が布団３の外側に位置するようにして、保持部材１６ａを係止用の帯４の上に置く。
次いで、布団３の該係止用の帯４を抱き込むように雌側ボタン部１８ａ側を帯４の内側に
通して折り曲げ部のループに雌側ボタン部１８ａ側を通して引っ張るようにするか、ある
いは、保持部材１６ａを係止用の帯４の上に置いてから、折り曲げ部を該係止用の帯４に
掛けて内側（布団３側）へ折り返し、該折り返された折り曲げ部のループに雌側ボタン部
１８ａ側の端部を通して引っ張るようにする。これにより、図７（ロ）のような状態で係
止用の帯４に取り付けることができる。因に、図７（イ）に対応して図８（イ）に示すよ
うに、保持部材１６ａの雌側ボタン部１８ａ側を布団３より外側へはみ出るような姿勢で
折り曲げ部を係止用の帯４の内側面側に通し、次いで、図８（ロ）に示すように折り曲げ
部を折り返して係止用の帯４を抱き込むようにした後、該折り返した折り曲げ部のループ
に雌側ボタン部１８ａ側を通して引っ張れば、保持部材１６ａは表面側が図８（ハ）に示
すような状態で係止用の帯４に取り付けられるが、このように取り付けてもよい。又、図
９（イ）に示す如く、雌側ボタン部１８ａを布団３側に向け且つ該雌側ボタン部１８ａ側
の端が図７（イ）とは反対側の布団３側に位置させた保持部材１６ａの折り曲げ側を、上
記係止用の帯４の内側へ通し、次いで、該折り曲げ部を図９（ロ）に示す如く外側（布団
３の反対側）へ折り返した後、該折り返した折り曲げ部のループに雌側ボタン部１８ａ側
の端部を通して引っ張れば、図９（ハ）に示す如く、図７（ロ）と同様に、雌側ボタン部
１８ａを外側へ向けた状態で帯４に取り付けることができる。
【００３８】
上記のようないずれのやり方を採用しても、本考案における保持部材１６ａを、布団３
の係止用の帯４に取り付けることができる。
【００３９】
この実施の形態によれば、保持部材１６ａは、雌側ボタン部１８ａを１つ備えた帯状物
１９により、リング状に形成されているので、折り曲げ部を布団３の係止用の帯４に掛け
て、その折り曲げ部に反対側を通して引っ張るというひばり結びにより簡単に係止用の帯
４に取り付けることができると共に、逆の動作で簡単に係止用の帯４から取り外すことが
できる。
【００４０】
図７（ロ）、図８（ハ）、図９（ハ）のように、布団３の係止用の帯４に保持部材１６
ａを取り付けておくと、布団３に布団カバー１（図１参照）を被せて、布団カバー１のす
べり止めを行うときには、布団カバー１側に取り付けてある前記保持部材１７の押圧式ボ
タン１８の雄側ボタン部１８ｂと、布団３側の押圧式ボタン１８の雌側ボタン部１８ａと
を押圧するだけで結合させることができる。これにより、布団カバー１を布団３に保持さ
せることができる。この際、布団３の係止用の帯４に取り付けられた状態では、保持部材
１６ａの雌側ボタン部１８ａと布団３の係止用の帯４と間の寸法は長くならないようにし
てあるので、雌側ボタン部１８ａを布団カバー１に取り付けた保持部材１７の雄側ボタン
部１８ｂとを結合させたとき、布団３と布団カバー１が大きく離れてしまうというような
ことはない。
【００４１】
図１０（イ）（ロ）は上記保持部材１６ａの変形例を示すもので、図６（イ）（ロ）（
ハ）に示す保持部材１６ａと同様に、一端部に押圧式ボタン１８の雌側ボタン部１８ａを
装着した所要長さの帯状物１９を、一端部と他端部とでは表裏が逆になるよう捩った状態
で折り曲げてリング状にするようにした構成において、図６（ロ）（ハ）の実施の形態で
折り曲げた両端部同士を重ねて固定するようにしたことに代えて、折り曲げた帯状物１９
の他端を、一端部の雌側ボタン部１８ａの近傍位置に重ねて固定するようにしたものであ
る。
【００４２】
このような構成とした場合は、帯状物１９の長さを、図６（イ）（ロ）（ハ）に示すも
のに比して短かくすることができる。
【００４３】
又、図１１は他の変形例を示すもので、図６（イ）（ロ）（ハ）に示したものと同様な
構成としたものにおいて、押圧式ボタン１８の雌側ボタン部１８ａを帯状物１９の一端部
に装着させた構成に代えて、折り曲げた両端部を重合させて、該重合させた両端部に雌側
ボタン部１８ａを装着したものである。
【００４４】
この例のようにすれば、ボタン部１８の装着部が帯状部１９の重合部となるため、強度
をより高めることが可能となる。
【００４５】
次いで、図１２（イ）（ロ）は、本考案の実施の別の形態として、布団カバー１に取り
付けておくようにする保持部材１７の他の例を示すもので、図３（イ）（ロ）（ハ）及び
図５（イ）（ロ）に示した帯状物２０の中央部分に結合具としての押圧式ボタン１８の雄
側ボタン部１８ｂを取り付けてリング状にした構成に代えて、比較的長さを短かくした帯
状物２０の一端側に押圧式ボタン１８の雄側ボタン部１８ｂを装着し、且つ該帯状物２０
の他端部２０ａを、布団カバー１の内側の少なくとも四隅部に縫いつける等して直接取り
付けることができるような保持部材１７ａとしたものである。
【００４６】
この実施の形態によれば、保持部材１７ａは、帯状物２０の一端部に押圧式ボタン１８
の雄側ボタン部１８ｂを装着して、帯状物２０の他端部２０ａを布団カバー１に固定する
ようにしてあるため、帯状物２０の長さを短かくすることができると共に、簡単に製作す
ることができる。又、帯状物２０の先端側に雄側ボタン部１８ｂが位置していることから
、布団３側に取り付けられている前記した保持部材１６，１６ａの雌側ボタン部１８ａと
容易に結合させることができる。
【００４７】
更に、図１３及び図１４は本考案の実施の更に他の形態を示すもので、結合部２３を一
端部に有し且つ他端部に掴み部２４を有する簡易型のクリップ構造の保持部材２１と、一
端部に帯状物２７の取付部２５を有し且つ他端部に上記保持部材２１の結合部２２に着脱
自在に結合される結合具２６を有する保持部材２２とからなる構成として、上記保持部材
２１の掴み部２４を布団３の少なくとも四隅部に取り付けてある係止用の帯４に挟み付け
て留めるようにして、該保持部材２１を布団３に取付け保持させておくようにする。又、
上記保持部材２２の帯状物２７は端部同士を固着してリング状にし、布団カバー１の内側
の少なくとも四隅部に取り付けてある結び紐２にて保持させるか、あるいは、リング状と
した帯状物２７を布団カバー１に直接縫い付けて固定するようにする。
【００４８】
上記クリップ状の保持部材２１の一端部に設けてある結合部２３は、所要深さの凹部形
状としてあって、中央部に仕切壁２３ａを設けると共に、左右両側部の一端部寄り位置に
おける上下に、突起２３ｂを相対向させてそれぞれ設けた構成としてある。又、該保持部
材２１の他端部の掴み部２４は、噛み合うための固定の下あご２４ａと、一端部を支持点
として上下動する上あご２４ｂと、該上あご２４ｂを非噛み合い状態に復帰させる板ばね
２４ｃを有し、レバー２４ｄを軸２４ｅを中心に上下のあご２４ｂ，２４ａ側へ回動させ
ることにより、上あご２４ｂを下あご２４ａに押し付けて噛み合わせるようにし、レバー
２４ｄを上記とは反対方向に回動させることにより板ばね２４ｃの弾力により上あご２４
ｂが下あご２４ａから離れて非噛み合い状態が実現できるようにしてある。
【００４９】
一方、上記保持部材２１の結合部２３に着脱自在に結合させるようにする保持部材２２
の結合具２６は、帯状物２７の取付部２５より他端側へ向け突出させた２本のピン２８ａ
，２８ｂをそれぞれ外側へＵ字状に折り曲げて、左右方向に弾力性を有するようにし、且
つ上記各Ｕ字状のピン２８ａ，２８ｂの外側に、押圧用の操作部２９を取り付け、更に、
上記ピン２８ａ，２８ｂの先端の係止片３０と、上記取付部２５の左右両端部より他端側
へ突出させた係止片３１とでストッパ部を設けた構成としてある。
【００５０】
したがって、上記保持部材２１の結合部２３に、保持部材２２の結合具２６を挿入する
と、左右のＵ字状のピン２８ａ，２８ｂの先端側が結合部２３の上下左右の突起２３ｂで
内側へ押されながら挿入された後、結合部２３の左右の突起２３ｂが結合具２６の左右の
各係止片３０と３１との間に入り込むことにより結合部２３と結合具２６とがロックされ
るようになる。又、結合具２６の押圧用操作部２９を手で内側へ押せば、ロックが解除さ
れて、結合具２６が結合部２３より抜き出せるようになる。
【００５１】
かかる構成の保持部材２１と２２を、布団３と布団カバー１に取り付けておけば、前記
した図１乃至図５（イ）（ロ）の実施の形態、図６（イ）（ロ）（ハ）乃至図１１や図１
２（イ）（ロ）の各実施の形態の場合と同様にワンタッチで結合したり、結合を解除でき
る。すなわち、布団３の少なくとも四隅部の係止用の帯４を、保持部材２１の掴み部２４
で掴んで、該係止用の帯４に保持部材２１を保持させておく。一方、布団カバー１の内側
の少なくとも四隅部には、保持部材２２のリング状にしてある帯状物２７を取り付けて保
持させておく。これにより、布団カバー１に布団３を収納した後に、布団カバー１のすべ
り止めを行うときは、布団３の係止用の帯４に取付け保持されている保持部材２１の自由
端側となっている結合部２３に、布団カバー１に取付け保持されている保持部材２２の結
合具２６を差し込む動作のみで両保持部材２１，２２同士をロックできて、直ちに布団カ
バー１のすべり止めを行うことができる。
【００５２】
布団カバー１を布団３から取り外すときは、保持部材２２の結合具２６に取り付けてあ
る左右の押圧用操作部２９を内側へ押すことにより、保持部材２１とのロックが解除され
て両保持部材２１，２２を離脱させることができ、布団３に取り付けてある係止用の帯４
からもズレ防止紐やバンドを抜き取るという従来の操作を一切行うことをなくすことがで
きる。これにより、直ちに布団カバー１を布団３から簡単に切り離すことができる。この
際、布団３には、保持部材２１を残しておくので、従来の更に布団３から取り外す動作を
省略できて有利である。
【００５３】
なお、上記実施の形態では、布団カバー１は既存のものとして四隅部に取り付けてある
係止用の紐２に保持部材１７を結び付けておく場合を例示したが、これに限定されるもの
ではなく、布団カバー１の内側の四隅部に係止用の紐を取り付ける代りに、図１５に示す
如く、保持部材１７を直接縫い付けて取り付けたものとしてもよい。又、布団カバー１側
に取り付けておくようにする保持部材１７，１７ａに押圧式ボタンの雄側ボタン部１８ｂ
を固定し、布団３側の係止用の帯４に取り付けておくようにする保持部材１６，１６ａに
押圧式ボタンの雌側ボタン部１８ａを固定した場合を示したが、布団カバー１側の保持部
材１７，１７ａに雌側ボタン部１８ａを、又、布団３側の保持部材１６，１６ａに雄側ボ
タン部１８ｂをそれぞれ固定するようにしてもよい。更に、布団３の四隅部の係止用の帯
４に保持部材１６や１６ａを通して取り付ける場合を示したが、布団３の四隅部にループ
状にした係止用の紐が取り付けられている形式のものでは、ループ状の係止用の紐に保持
部材１６や１６ａを通して取り付けておくようにしてもよいこと、保持部材１６，１６ａ
、１７，１７ａは布団カバー１、布団３の四隅部のみならず、両側部の中央部位置にそれ
ぞれ取り付けておくようにしてもよいこと、更に、押圧式ボタン１８を構成する雌側ボタ
ン部１８ａと雄側ボタン部１８ｂの大きさは任意であり、小さくて保持力が大きいものが
望ましいことは勿論である。又、各実施の形態では、保持部材１６や１６ａを、布団３に
取り付けられているループ状をなす係止用の帯や紐に取り付けておくようにした場合を示
したが、保持部材１６，１６ａを予め布団３に直接縫い付けるなどして固着させるように
してもよく、その場合に、図１２（イ）（ロ）のように、一端部に結合具を装着した所要
長さの帯状物の他端部を布団に直接固着させるようにすることは任意であること、布団及
び布団カバーの四隅部以外の複数個所に保持部材１６，１６ａ，２１及び保持部材１７，
１７ａ，２２を取り付けておくようにしてもよいこと、その他本考案の要旨を逸脱しない
範囲内で種々変更を加え得ることは勿論である。
【図面の簡単な説明】
【００５４】
【図１】本考案の実施の一形態を示す斜視図である。
【図２】本考案における布団に取り付けておくための保持部材を示すもので、（イ）は伸ばした状態の正面図、（ロ）はその側面図である。
【図３】本考案における布団カバーに取り付けておくための保持部材を示すもので、（イ）は伸ばした状態の正面図、（ロ）はその側面図、（ハ）はリング状にした側面図である。
【図４】図２に示した保持部材を布団の隅部の係止用の帯にリング状にして取り付けた状態を示すもので、（イ）は布団の隅部を表面側へ折り返した状態の斜視図、（ロ）は布団の隅部を裏面から見た状態を示す斜視図である。
【図５】図３（ハ）に示した保持部材を布団カバーの隅部に取り付けた状態を示すもので、（イ）は平面図、（ロ）は側面図である。
【図６】本考案の実施の他の形態として布団に取り付けておくようにする保持部材の他の例を示すもので、（イ）は折り曲げる前の展開した状態を示す側面図、（ロ）は（イ）の状態から１回捩って折り曲げて両端を固定した状態を示す平面図、（ハ）は（ロ）の側面図である。
【図７】図６に示す保持部材を布団の係止用の帯に取り付ける一例を示すもので、（イ）は保持部材の雌側ボタン部を布団の外側となるようにして帯の外面上に置いた状態を示す図、（ロ）は帯に掛けた折り曲げ部のループにボタン部側を通して帯に取り付けた状態を示す図である。
【図８】図６に示す保持部材を布団の係止用の帯に取り付ける他の例を示すもので、（イ）は図７（イ）と同様な姿勢で折り曲げ部を帯の内面側に通した状態を示す図、（ロ）は折り曲げ部のループを外側へ折り返した状態を示す図、（ハ）は折り返したループにボタン部側を通して帯に取り付けた状態を示す図である。
【図９】図６に示す保持部材を布団の係止用の帯に取り付ける更に他の例を示すもので、（イ）は保持部材の雌側ボタン部側を布団の内側となるようにして折り曲げ部を帯の内面側に通した状態を示す図、（ロ）は折り曲げ部のループを折り返した状態を示す図、（ハ）は折り返したループにボタン部側を通して帯に取り付けた状態を示す図である。
【図１０】図６に示す保持部材の変形例を示すもので、（イ）は平面図、（ロ）は側面図である。
【図１１】図６に示す保持部材の別の変形例を示す側面図である。
【図１２】本考案の実施の別の形態として布団カバーに取り付けておくようにする保持部材の他の例を示すもので、（イ）は布団カバーに取り付けた状態を示す平面図、（ロ）は側面図である。
【図１３】本考案の実施の他の形態を示す２つの保持部材の概略図である。
【図１４】図１３に示す保持部材を布団と布団カバーに取付けて結合した状態を示す概略図である。
【図１５】図３（ハ）に示した保持部材を布団カバーの隅部に縫い付けた状態を示す斜視図である。
【図１６】従来の布団カバーに取り付けたズレ防止紐を示す平面図である。
【図１７】図１３のズレ防止紐を布団のループ状の帯に掛けて係止させた状態を示す平面図である。
【図１８】従来の布団カバーにバンドを取り付けた状態を示す平面図である。
【図１９】図１５のバンドを布団のループ状の帯に掛けて係止させる前の状態を示す平面図である。
【符号の説明】
【００５５】
１  布団カバー
３  布団
４  係止用の帯
１６，１６ａ  保持部材
１７，１７ａ  保持部材
１８  押圧式ボタン
１８ａ  雌側ボタン部（結合具）
１８ｂ  雄側ボタン部（結合具）
１９  帯状物
２０  帯状物
２１  保持部材
２２  保持部材
２３  結合部
２４  掴み部
２６  結合具
２７  帯状物
２９  押圧式の操作部
【図１】
0003108943.tif 000003
【図２】
0003108943.tif 000004
【図３】
0003108943.tif 000005
【図４】
0003108943.tif 000006
【図５】
0003108943.tif 000007
【図６】
0003108943.tif 000008
【図７】
0003108943.tif 000009
【図８】
0003108943.tif 000010
【図９】
0003108943.tif 000011
【図１０】
0003108943.tif 000012
【図１１】
0003108943.tif 000013
【図１２】
0003108943.tif 000014
【図１３】
0003108943.tif 000015
【図１４】
0003108943.tif 000016
【図１５】
0003108943.tif 000017
【図１６】
0003108943.tif 000018
【図１７】
0003108943.tif 000019
【図１８】
0003108943.tif 000020
【図１９】
0003108943.tif 000021